(57)【要約】【課題】  コストアップを抑えながらも、第１の紙片に付与された情報の改竄の防止及び隠蔽を可能とし、かつ、第１の紙片と第２の紙片とが剥離された後、これらを再度貼着することができ、また、情報を追記する。【解決手段】  証明書貼付領域１１が設けられた本体片１０に、互いに剥離可能かつ再貼着が不可能に貼着され、該貼着面とは反対側の面に剥離不可能な粘着剤４ａ，４ｂがそれぞれ塗布された２枚の透明フィルム３ａ，３ｂからなり、証明書貼付領域１１上に貼着されるラベル２を剥離可能に設けるとともに、隠蔽片２０と連接していない周縁部に剥離及び再貼着が可能な粘着剤４０を塗布する。【選択図】図１
2006168273.tif 000002
【特許請求の範囲】
【請求項１】
一方の面に情報が付与される第１の紙片と、該第１の紙片の前記情報が付与された面に貼着されることにより前記情報を隠蔽する第２の紙片とを有してなる情報隠蔽シートであって、
前記第１の紙片と前記第２の紙片とのいずれか一方は、
互いに剥離可能かつ再貼着が不可能に貼着され、該貼着面とは反対側の面に剥離不可能な粘着剤がそれぞれ塗布された透明な２枚のシート基材からなり、前記第１の紙片の前記情報が付与された領域上に貼着されるラベル部と、
少なくとも他方の紙片と連接していない周縁部にて剥離及び再貼着が可能な粘着剤が塗布されて形成された貼着領域とを有し、
前記第１の紙片と前記第２の紙片とが、前記剥離及び再貼着が可能な粘着剤と、前記情報が付与された領域上に貼着された前記ラベル部とによって剥離可能に貼着される情報隠蔽シート。
【請求項２】
請求項１に記載の情報隠蔽シートにおいて、
前記第１の紙片は、
前記ラベル部が剥離可能に貼着された待機領域と、
前記情報が付与され、前記待機領域から剥離されたラベル部が貼着される貼着領域とを有することを特徴とする情報隠蔽シート。
【請求項３】
請求項１または請求項２に記載の情報隠蔽シートにおいて、
前記第２の紙片は、前記第１の紙片に貼着された場合に前記情報が付与された領域に対向する領域に、情報を記入するための情報記入領域を有することを特徴とする情報隠蔽シート。
【請求項４】
請求項１に記載の情報隠蔽シートにおいて、
前記ラベル部は、前記第１の紙片の前記情報が付与される領域に、一部が前記第１の紙片から離反可能となるように前記剥離不可能な粘着剤を介して剥離紙が貼着された状態で貼着されていることを特徴とする情報隠蔽シート。
【発明の詳細な説明】
【技術分野】
【０００１】
本発明は、紙片上の所定の領域に付与された情報を隠蔽することができる情報隠蔽シートに関する。
【背景技術】
【０００２】
従来より、情報を記入するための情報記入領域が設けられたはがきにおいて、情報記入領域に情報を記入した後に、この情報記入領域上に隠蔽片を剥離可能に貼着し、それにより、情報記入領域に記入された情報を隠蔽可能とするものが考えられている。このようなはがきの構造としては、例えば、隠蔽片の一方の面に、層間が剥離可能に重合した透明な接合材の両面に透明な粘着剤が塗布されてなる介在シートを貼付しておき、この介在シートによって情報記入領域上に隠蔽片を剥離可能に貼着する技術が考えられている（例えば、特許文献１参照。）。このはがきを用いて情報を伝達する場合は、はがきの送付先に伝達したい情報を情報記入領域に記入した後、情報記入領域上に介在シートを介して隠蔽片を剥離可能に貼着し、その状態ではがきを送付先に送付する。これにより、はがきの送付途中においては、情報記入領域に記入された情報は隠蔽片によって覆われており、外部から見られてしまうことはない。また、このはがきが送付先に送付された後、はがきの送付先において隠蔽片を剥離すると、接合材の層間が剥離し、情報記入領域に記入された情報が接合材の一方の層を介して視認可能となり、それにより、情報記入領域に記入された情報がはがきの送付元から送付先に伝達されることになる。また、このように、層間が剥離可能に重合した透明な接合材の両面に透明な粘着剤が塗布されてなる介在シートを用いた場合、隠蔽片が剥離された状態においては、情報記入領域上に接合材の一方の層が残存しているため、隠蔽片が剥離された後、情報記入領域に記入された情報が改竄されてしまうことを防止することができる。
【特許文献１】特開平１０−２６４５５９号公報
【発明の開示】
【発明が解決しようとする課題】
【０００３】
しかしながら、上述したように、隠蔽片の一方の面に、層間が剥離可能に重合した透明な接合材の両面に透明な粘着剤が塗布されてなる介在シートを貼付しておき、この介在シートによって情報記入領域上に隠蔽片を剥離可能に貼着するものにおいては、隠蔽片が剥離された後、情報記入領域に記入された情報が改竄されてしまうことを防止することができるものの、情報記入領域上に隠蔽片を再度貼着することができないという問題点がある。
【０００４】
また、隠蔽片が剥離された後の状態においては、情報記入領域を有する紙片及び隠蔽片の貼着面の全面がそれぞれ接合材の一方の層によって覆われることになるため、情報記入領域に記入された情報の改竄を防止することができるものの、他の領域に鉛筆等によって情報を追記することができないという問題点がある。
【０００５】
さらに、上述した介在シートとして２層フィルムを用いた場合、２層フィルムは高価なものであるため、製造コストが大幅にアップしてしまうという問題点がある。
【０００６】
本発明は、上述したような従来の技術が有する問題点に鑑みてなされたものであって、コストアップを抑えながらも、第１の紙片に付与された情報の改竄の防止及び隠蔽を可能とし、かつ、第１の紙片と第２の紙片とが剥離された後、これらを再度貼着することができ、また、情報を追記することができる情報隠蔽シートを提供することを目的とする。
【課題を解決するための手段】
【０００７】
上記目的を達成するために本発明は、
一方の面に情報が付与される第１の紙片と、該第１の紙片の前記情報が付与された面に貼着されることにより前記情報を隠蔽する第２の紙片とを有してなる情報隠蔽シートであって、
前記第１の紙片と前記第２の紙片とのいずれか一方は、
互いに剥離可能かつ再貼着が不可能に貼着され、該貼着面とは反対側の面に剥離不可能な粘着剤がそれぞれ塗布された透明な２枚のシート基材からなり、前記第１の紙片の前記情報が付与された領域上に貼着されるラベル部と、
少なくとも他方の紙片と連接していない周縁部にて剥離及び再貼着が可能な粘着剤が塗布されて形成された貼着領域とを有し、
前記第１の紙片と前記第２の紙片とが、前記剥離及び再貼着が可能な粘着剤と、前記情報が付与された領域上に貼着された前記ラベル部とによって剥離可能に貼着される。
【０００８】
また、前記第１の紙片は、
前記ラベル部が剥離可能に貼着された待機領域と、
前記情報が付与され、前記待機領域から剥離されたラベル部が貼着される貼着領域とを有することを特徴とする。
【０００９】
また、前記第２の紙片は、前記第１の紙片に貼着された場合に前記情報が付与された領域に対向する領域に、情報を記入するための情報記入領域を有することを特徴とする。
【００１０】
また、前記ラベル部は、前記第１の紙片の前記情報が付与される領域に、一部が前記第１の紙片から離反可能となるように前記剥離不可能な粘着剤を介して剥離紙が貼着された状態で貼着されていることを特徴とする。
【００１１】
上記のように構成された本発明においては、第１の紙片に情報が付与された後、第１の紙片と前記第２の紙片とのいずれか一方に設けられたラベル部を、情報が付与された領域上に貼着し、このラベル部と、第１の紙片と第２の紙片とのいずれか一方に塗布された剥離及び再貼着が可能な粘着剤とによって、第１の紙片と第２の紙片とを貼着すると、その状態においては、第１の紙片に付与された情報は、第２の紙片によって覆われているため外部から視認不可能となっている。その後、第１の紙片に付与された情報を見るために第１の紙片と第２の紙片とを剥離すると、ラベル部を構成する透明な２枚のシート基材が剥離し、それにより、第１の紙片に付与された情報が、ラベル部を構成する１枚のシート基材によって覆われた状態で第１の紙片と第２の紙片とが剥離する。そのため、第１の紙片と第２の紙片とを剥離した後に、第１の紙片に付与された情報が改竄されることはない。また、その際、第１の紙片の情報が付与された領域と、第２の紙片のうちその領域との貼着領域のみが、ラベル部を構成するシート基材によって覆われているため、他の領域には情報の追記が可能となり、それにより、コストアップを抑えることができる。さらにその後、第１の紙片と第２の紙片とは、第１の紙片と第２の紙片とのいずれか一方に塗布された剥離及び再貼着が可能な粘着剤によって再度貼着することができる。
【発明の効果】
【００１２】
以上説明したように本発明においては、第１の紙片と第２の紙片とが貼着された状態では第１の紙片に付与された情報が第２の紙片によって隠蔽され、また、貼着された第１の紙片と第２の紙片とが剥離された状態では、第１の紙片に付与された情報がラベル部を構成する透明な１枚のシート基材によって覆われ、また、その後、第１の紙片と第２の紙片とが、第１の紙片と第２の紙片とのいずれか一方に塗布された剥離及び再貼着が可能な粘着剤によって再度貼着可能となるため、第１の紙片に付与された情報の改竄の防止及び隠蔽を可能としながらも、第１の紙片と第２の紙片とが剥離された後、これらを再度貼着することができる。また、第１の紙片と第２の紙片とが剥離された状態においては、第１の紙片の情報が付与された領域と、第２の紙片のうちその領域との貼着領域のみが、ラベル部を構成するシート基材によって覆われているため、他の領域に対して情報を追記することができ、それにより、コストアップを抑えることができる。
【００１３】
また、第２の紙片の、第２の紙片が第１の紙片に貼着された場合に情報が付与された領域に対向する領域に、情報を記入するための情報記入領域を有するものにおいては、１つのラベル部のみで、第１の紙片に付与された情報と情報記入領域に記入された情報との両方の改竄の防止及び隠蔽を可能とすることができる。
【００１４】
また、ラベル部が、第１の紙片の情報が付与される領域に、一部が第１の紙片から離反可能となるように剥離不可能な粘着剤を介して剥離紙が貼着された状態で貼着されているものにおいては、情報が付与された領域にラベル部を貼着する際に位置合わせを行う必要がなくなる。
【発明を実施するための最良の形態】
【００１５】
以下に、本発明の実施の形態について図面を参照して説明する。
【００１６】
（第１の実施の形態）
図１は、本発明の情報隠蔽シートの第１の実施の形態を示す図であり、（ａ）は表面から見た図、（ｂ）は（ａ）に示したＡ−Ａ’断面図である。
【００１７】
本形態は図１に示すように、証明書貼付領域１１が設けられた第１の紙片となる本体片１０と、折り部となる折り線３０を介して本体片１０に折り畳み可能に連接し、本体片１０に貼着されることにより、証明書貼付領域１１に貼付された証明書に記載された情報を隠蔽するための第２の紙片となる隠蔽片２０とから構成されている。本体片１０は、隠蔽片２０と連接していない周縁部に、剥離及び再貼着が可能な粘着剤４０が塗布されて貼着領域が設けられているとともに、ベース基材５０の折り線３０を介して折り畳まれた場合に隠蔽片２０と対向する面のうち粘着剤４０が塗布されていない領域の一部に、情報が記載された証明書を貼付するための証明書貼付領域１１が設けられ、また、証明書貼付領域１１とは異なる領域に、証明書が貼付された証明書貼付領域１１上に貼着されるラベル２が剥離剤層１２を介して剥離可能に貼着されている。そのため、ラベル２が剥離剤層１２を介して剥離可能に貼着された領域が待機領域となり、また、この待機領域から剥離されたラベル２が貼着される証明書貼付領域１１が貼着領域となる。このラベル２は、ベース基材５０の折り線３０を介して折り畳まれた場合に本体片１０の隠蔽片２０と対向する面上に、接着力が強く剥離不可能である透明な粘着剤４ａによってポリエチレンやポリエステル等の合成樹脂からなるシート基材となる透明フィルム３ａが剥離剤層１２によって剥離可能に接着され、この透明フィルム３ａ上には、同じくポリエチレンやポリエステル等の合成樹脂からなるシート基材となる透明フィルム３ｂが、接着力が弱い粘着剤５によって剥離可能に接着され、さらに透明フィルム３ｂ上には、接着力が強く剥離不可能である透明な粘着剤４ｂが塗布されて構成されている。そして、粘着剤４ｂは剥離紙６によって被覆されている。また、隠蔽片２０は、ベース基材５０の折り線３０を介して折り畳まれた場合に本体片１０と対向する面のうち、証明書貼付領域１１に対向する領域に、情報を記入するための情報記入領域２１が設けられている。なお、折り線３０においては、ベース基材５０上にハーフカットや版押し等によって形成することが考えられ、また、折り部として折り線３０ではなくベース基材５０上にミシン目を形成してもよい。また、本体片１０の隠蔽片２０と連接する領域に粘着剤４０を塗布してもよい。また、上述した情報隠蔽シート１が使用前にて見開き状態で保管される場合は、粘着剤４０にも剥離紙が貼着される構成となる。
【００１８】
以下に、上記のように構成された情報隠蔽シート１の使用方法について説明する。
【００１９】
まず、隠蔽片２０に設けられた情報記入領域２１に情報を記入するとともに、本体片１０に設けられた証明書貼付領域１１に、運転免許証や健康保険証のコピー等といった、本人であることや要求された事項を証明する情報が記載された証明書を載置した後、本体片１０からラベル２を剥離し、証明書が載置された証明書貼付領域１１上に証明書を覆うように貼着する。
【００２０】
図２は、図１に示した情報記入領域２１に情報が記入され、また、証明書貼付領域１１に証明書が貼付された状態を示す図であり、（ａ）は表面から見た図、（ｂ）は（ａ）に示したＡ−Ａ’断面図である。
【００２１】
図２に示すように、情報記入領域２１には情報２２が記入され、また、証明書貼付領域１１にはラベル２によって証明書６０が貼付された状態となる。このように証明書貼付領域１１に、情報が記載された証明書を貼付することにより、本体片１０の一方の面に情報を付与することになる。
【００２２】
次に、証明書貼付領域１１に貼着されたラベル２から剥離紙６を剥離し、本体片１０と隠蔽片２０とを、証明書貼付領域１１や情報記入領域２１が内面となるように折り線３０を介して折り畳み、本体片１０の周縁部に塗布された粘着剤４０、並びに証明書貼付領域１１に貼着されたラベル２によって互いに貼着する。
【００２３】
図３は、図１に示した本体片１０と隠蔽片２０とが貼着された状態を示す図であり、（ａ）は隠蔽片２０側から見た図、（ｂ）は（ａ）に示したＡ−Ａ’断面図である。
【００２４】
図３に示すように、情報隠蔽シート１の本体片１０と隠蔽片２０とが貼着された状態においては、証明書貼付領域１１に貼付された証明書に記載された情報は、隠蔽片２０によって覆われているため、外部から視認不可能となっている。また、情報記入領域２１に記入された情報は、本体片１０によって覆われているため、外部から視認不可能となっている。この状態で情報隠蔽シート１を送付先に送付することになる。そのため、情報隠蔽シート１の送付途中において、証明書貼付領域１１に貼付された証明書に記載された情報や、情報記入領域２１に記入された情報が見られてしまうことはない。
【００２５】
その後、この情報隠蔽シート１が送付先にて受け取られ、情報隠蔽シート１の送付先において、本体片１０から隠蔽片２０を剥離していくことになる。
【００２６】
図４は、図１に示した本体片１０と隠蔽片２０とが貼着された後に剥離された状態を示す図であり、（ａ）は貼着されていた面を示す図であり、（ｂ）は（ａ）に示したＡ−Ａ’断面図である。
【００２７】
本体片１０から隠蔽片２０を剥離していくと、図４に示すように、透明フィルム３ａと透明フィルム３ｂとが粘着剤５を介して剥離し、透明フィルム３ａが粘着剤４ａによって本体片１０に残り、また、透明フィルム３ｂが粘着剤４ｂによって隠蔽片２０とともに本体片１０から剥離される。この際、粘着剤４ａ及び透明フィルム３ａが透明な材料から構成されているため、証明書貼付領域１１に貼付された証明書６０に記載された情報６１が粘着剤４ａ及び透明フィルム３ａを介して視認可能になる。また、証明書貼付領域１１に貼付された証明書６０には、バーコード等の機械読み取り可能な情報が印刷されている場合があるが、その場合においても、その情報は、粘着剤４ａ及び透明フィルム３ａを介して読み取ることができる。また同様に、情報記入領域２１に記入された情報２２についても、粘着剤４ｂ及び透明フィルム３ｂが透明な材料から構成されているため、粘着剤４ｂ及び透明フィルム３ｂを介して視認可能になる。
【００２８】
これにより、情報隠蔽シート１の送付先に、証明書貼付領域１１に貼付された証明書６０に記載された情報６１、並びに情報記入領域２１に記入された情報２２を通知することができる。
【００２９】
また、この際、証明書貼付領域１１に貼付された証明書６０が粘着剤４ａ及び透明フィルム３ａによって覆われているため、証明書貼付領域１１に貼付された証明書６０に記載された情報６１が改竄されてしまうことを防止することができ、また、証明書６０が証明書貼付領域１１から脱落してしまうことを防止することができる。また同様に、情報記入領域２１においても、粘着剤４ｂ及び透明フィルム３ｂによって覆われているため、情報記入領域２１に記入された情報２２が改竄されてしまうことを防止することができる。
【００３０】
また、その際、本体片１０の証明書貼付領域１１と隠蔽片２０の情報記入領域２１以外の領域には、ラベル２を構成する透明フィルム３ａ，３ｂが貼着されていないため、本体片１０や隠蔽片２０の他の領域に対して情報の追記が可能となる。
【００３１】
その後、本体片１０と隠蔽片２０とを、証明書貼付領域１１や情報記入領域２１が内面となるように折り線３０を介して折り畳めば、本体片１０の周縁部に塗布された粘着剤４０によって本体片１０と隠蔽片２０とを再度貼着することができる。なお、この際、ラベル２が透明フィルム３ａ，３ｂ間で剥離して表出した粘着剤５は再貼着が不可能なものであるため、ラベル２によっては本体片１０と隠蔽片２０とが接着されない。
【００３２】
なお、本形態においては、本体片１０に設けられた剥離剤層１２によってラベル２が本体片１０に剥離可能に貼着されているが、隠蔽片２０に剥離剤層を設け、この剥離剤層によってラベル２を隠蔽片２０に剥離可能に貼着しておく構成とすることも考えられる。
【００３３】
また、本形態においては、剥離剤層１２が積層された領域及び証明書貼付領域１１と粘着剤４０との間にそれぞれ隙間が形成されているが、本体片１０と隠蔽片２０との接着性を向上させるために、剥離剤層１２が積層された領域及び証明書貼付領域１１と粘着剤４０との間にそれぞれ隙間が形成されないように本体片１０上に粘着剤４０を塗布することも考えられる。
【００３４】
また、本形態においては、本体片１０上に剥離剤層１２を介してラベル２が剥離可能に貼着されているが、隠蔽片２０上に剥離剤層を積層し、その上にラベルを剥離可能に貼着する構成とすることも考えられる。その場合、本体片１０上における粘着剤４０の塗布領域を広げることができ、それにより、本体片１０と隠蔽片２０との接着性を向上させることができる。
【００３５】
（第２の実施の形態）
図５は、本発明の情報隠蔽シートの第２の実施の形態を示す図であり、（ａ）は表面から見た図、（ｂ）は（ａ）に示したＡ−Ａ’断面図である。
【００３６】
本形態は図５に示すように、証明書貼付領域１１１が設けられた第１の紙片となる本体片１１０と、折り部となる折り線１３０を介して本体片１１０に折り畳み可能に連接し、本体片１１０に貼着されることにより、証明書貼付領域１１１に貼付された証明書に記載された情報を隠蔽するための第２の紙片となる隠蔽片１２０とから構成されている。本体片１１０は、ベース基材１５０の折り線１３０を介して折り畳まれた場合に隠蔽片１２０と対向する面の一部に、情報が記載された証明書を貼付するための証明書貼付領域１１１が設けられ、また、証明書貼付領域１１１上には、一部が本体片１１０から離反可能となるようにラベル１０２が貼着されている。このラベル１０２は、ポリエチレンやポリエステル等の合成樹脂からなる２枚のシート基材となる透明フィルム１０３ａ，１０３ｂが、接着力が弱い粘着剤１０５によって剥離可能に接着され、その透明フィルム１０３ａ，１０３ｂの互いの貼着面とは反対側の面にそれぞれ透明で剥離不可能な粘着剤１０４ａ，１０４ｂが塗布されて構成されている。そして、粘着剤１０４ｂは剥離紙１０６によって被覆され、また、粘着剤１０４ａは、透明フィルム１０３ａの幅よりも狭い幅を有する剥離紙１０７によって被覆されている。このため、剥離紙１０７によって被覆されていない粘着剤１０４ａによってラベル１０２が本体片１１０に貼着され、剥離紙１０７によって粘着剤１０４ａが被覆された領域が本体片１１０から離反可能となっている。また、本体片１１０は、ラベル１０２が貼着された領域の周辺部から隠蔽片１２０と連接していない周縁部に渡って、剥離及び再貼着が可能な粘着剤１４０が塗布されて貼着領域が設けられている。また、隠蔽片１２０は、ベース基材１５０の折り線１３０を介して折り畳まれた場合に本体片１１０と対向する面のうち、証明書貼付領域１１１に対向する領域に、情報を記入するための情報記入領域１２１が設けられている。なお、折り線１３０においては、ベース基材１５０上にハーフカットや版押し等によって形成することが考えられ、また、折り部として折り線１３０ではなくベース基材１５０上にミシン目を形成してもよい。また、本体片１１０のラベル１０２が貼着された領域の周辺部から隠蔽片１２０と連接していない周縁部に渡って粘着剤１４０を塗布するのではなく、本体片１１０の隠蔽片１２０と連接していない周縁部のみに粘着剤１４０を塗布する構造とすることも考えられる。また、上述した情報隠蔽シート１０１が使用前にて見開き状態で保管される場合は、粘着剤１４０にも剥離紙が貼着される構成となる。
【００３７】
以下に、上記のように構成された情報隠蔽シート１０１の使用方法について説明する。
【００３８】
まず、隠蔽片１２０に設けられた情報記入領域１２１に情報を記入するとともに、本体片１１０に貼着されたラベル１０２を捲り上げ、その下部に設けられた証明書貼付領域１１１に、運転免許証や健康保険証のコピー等といった、本人であることや要求された事項を証明する情報が記載された証明書を載置した後、ラベル１０２から剥離紙１０７を剥離し、ラベル１０２の粘着剤１０４ａによって、証明書が載置された証明書貼付領域１１１上に証明書を覆うようにラベル１０２を貼着する。
【００３９】
図６は、図５に示した情報記入領域１２１に情報が記入され、また、証明書貼付領域１１１に証明書が貼付された状態を示す図であり、（ａ）は表面から見た図、（ｂ）は（ａ）に示したＡ−Ａ’断面図である。
【００４０】
図６に示すように、情報記入領域１２１には情報１２２が記入され、また、証明書貼付領域１１１にはラベル１０２によって証明書１６０が貼付された状態となる。このように証明書貼付領域１１１に、情報が記載された証明書を貼付することにより、本体片１１０の一方の面に情報を付与することになる。
【００４１】
次に、証明書貼付領域１１１に貼着されたラベル１０２から剥離紙１０６を剥離し、本体片１１０と隠蔽片１２０とを、証明書貼付領域１１１や情報記入領域１２１が内面となるように折り線１３０を介して折り畳み、本体片１１０に塗布された粘着剤１４０、並びに証明書貼付領域１１１に貼着されたラベル１０２によって互いに貼着する。
【００４２】
図７は、図５に示した本体片１１０と隠蔽片１２０とが貼着された状態を示す図であり、（ａ）は隠蔽片１２０側から見た図、（ｂ）は（ａ）に示したＡ−Ａ’断面図である。
【００４３】
図７に示すように、情報隠蔽シート１０１の本体片１１０と隠蔽片１２０とが貼着された状態においては、証明書貼付領域１１１に貼付された証明書に記載された情報は、隠蔽片１２０によって覆われているため、外部から視認不可能となっている。また、情報記入領域１２１に記入された情報は、本体片１１０によって覆われているため、外部から視認不可能となっている。この状態で情報隠蔽シート１０１を送付先に送付することになる。そのため、情報隠蔽シート１０１の送付途中において、証明書貼付領域１１１に貼付された証明書に記載された情報や、情報記入領域１２１に記入された情報が見られてしまうことはない。
【００４４】
その後、この情報隠蔽シート１０１が送付先にて受け取られ、情報隠蔽シート１０１の送付先において、本体片１１０から隠蔽片１２０を剥離していくことになる。
【００４５】
図８は、図５に示した本体片１１０と隠蔽片１２０とが貼着された後に剥離された状態を示す図であり、（ａ）は貼着されていた面を示す図であり、（ｂ）は（ａ）に示したＡ−Ａ’断面図である。
【００４６】
本体片１１０から隠蔽片１２０を剥離していくと、図８に示すように、透明フィルム１０３ａと透明フィルム１０３ｂとが粘着剤１０５を介して剥離し、透明フィルム１０３ａが粘着剤１０４ａによって本体片１１０に残り、また、透明フィルム１０３ｂが粘着剤１０４ｂによって隠蔽片１２０とともに本体片１１０から剥離される。この際、粘着剤１０４ａ及び透明フィルム１０３ａが透明な材料から構成されているため、証明書貼付領域１１１に貼付された証明書１６０に記載された情報１６１が粘着剤１０４ａ及び透明フィルム１０３ａを介して視認可能になる。また、証明書貼付領域１１１に貼付された証明書１０６０には、バーコード等の機械読み取り可能な情報が印刷されている場合があるが、その場合においても、その情報は、粘着剤１０４ａ及び透明フィルム１０３ａを介して読み取ることができる。また同様に、情報記入領域１２１に記入された情報１２２についても、粘着剤１０４ｂ及び透明フィルム１０３ｂが透明な材料から構成されているため、粘着剤１０４ｂ及び透明フィルム１０３ｂを介して視認可能になる。
【００４７】
これにより、情報隠蔽シート１０１の送付先に、証明書貼付領域１１１に貼付された証明書１６０に記載された情報１６１、並びに情報記入領域１２１に記入された情報１２２を通知することができる。
【００４８】
また、この際、証明書貼付領域１１１に貼付された証明書１６０が粘着剤１０４ａ及び透明フィルム１０３ａによって覆われているため、証明書貼付領域１１１に貼付された証明書１６０に記載された情報１６１が改竄されてしまうことを防止することができ、また、証明書１６０が証明書貼付領域１１１から脱落してしまうことを防止することができる。また同様に、情報記入領域１２１においても、粘着剤１０４ｂ及び透明フィルム１０３ｂによって覆われているため、情報記入領域１２１に記入された情報１２２が改竄されてしまうことを防止することができる。
【００４９】
また、その際、本体片１１０の証明書貼付領域１１１と隠蔽片１２０の情報記入領域１２１以外の領域には、ラベル１０２を構成する透明フィルム１０３ａ，１０３ｂが貼着されていないため、本体片１１０や隠蔽片１２０の他の領域に対して情報の追記が可能となる。
【００５０】
その後、本体片１１０と隠蔽片１２０とを、証明書貼付領域１１１や情報記入領域１２１が内面となるように折り線１３０を介して折り畳めば、本体片１１０に塗布された粘着剤１４０によって本体片１１０と隠蔽片１２０とを再度貼着することができる。なお、この際、ラベル１０２が透明フィルム１０３ａ，１０３ｂ間で剥離して表出した粘着剤１０５は再貼着が不可能なものであるため、ラベル１０２によっては本体片１１０と隠蔽片１２０とが接着されない。
【００５１】
このように、本形態においては、ラベル１０２が、証明書貼付領域１１１上に設けられているため、証明書が載置された証明書貼付領域１１１上にラベル１０２を貼着する際、証明書貼付領域１１１に対するラベル１０２の位置合わせを行う必要がなくなる。
【００５２】
なお、本形態においては、ラベル１０２が貼着された領域と粘着剤１４０との間に隙間が形成されているが、本体片１１０と隠蔽片１２０との接着性を向上させるために、ラベル１０２が貼着された領域と粘着剤１４０との間に隙間が形成されないように、本体片１１０上に粘着剤１４０を塗布することも考えられる。
【００５３】
また、上述した２つの実施の形態においては、本体片１０，１１０に、証明書が貼付される証明書貼付領域１１，１１１を設け、この証明書貼付領域１１，１１１に証明書が貼付された後に証明書を覆うようにラベル２，１０２を貼着するものを例に挙げて説明したが、本体片１０，１１０のラベル２，１０２が貼着される領域に、証明書貼付領域１１，１１１の代わりに、隠蔽片２０，１２０と同様の情報記入領域を設け、この情報記入領域に情報を記入することによって本体片１０，１１０の一方の面に情報を付与することも考えられる。
【００５４】
また、上述した２つの実施の形態においては、本体片１０，１１０に設けられたラベル２，１０２を、２枚の透明フィルム３ａ，３ｂ，１０３ａ，１０３ｂが粘着剤５，１０５によって剥離可能に接着された構成としているが、２枚の透明フィルムを、不完全な溶着によって接着することにより剥離可能な構成とすることも考えられる。
【００５５】
また、上述した２つの実施の形態においては、本体片１０，１１０の隠蔽片２０，１２０と連接していない周縁部に、剥離及び再貼着が可能な粘着剤４０，１４０が塗布されているが、この粘着剤４０，１４０は、本体片１０，１１０ではなく、隠蔽片２０，１２０の本体片１０，１１０と連接していない周縁部に塗布されていてもよい。
【００５６】
また、上述した２つの実施の形態においては、本体片１０，１１０と隠蔽片２０，１２０とが折り線３０，１３０を介して連接しているが、本体片と隠蔽片とが別体として構成されたものとすることも考えられる。その場合、本体片１０，１１０と隠蔽片２０，１２０とが連接していないため、本体片１０，１１０と隠蔽片２０，１２０とのいずれか一方の周縁部に、剥離及び再貼着が可能な粘着剤４０，１４０を塗布することになる。
【図面の簡単な説明】
【００５７】
【図１】本発明の情報隠蔽シートの第１の実施の形態を示す図であり、（ａ）は表面から見た図、（ｂ）は（ａ）に示したＡ−Ａ’断面図である。
【図２】図１に示した情報記入領域に情報が記入され、また、証明書貼付領域に証明書が貼付された状態を示す図であり、（ａ）は表面から見た図、（ｂ）は（ａ）に示したＡ−Ａ’断面図である。
【図３】図１に示した本体片と隠蔽片とが貼着された状態を示す図であり、（ａ）は隠蔽片側から見た図、（ｂ）は（ａ）に示したＡ−Ａ’断面図である。
【図４】図１に示した本体片と隠蔽片とが貼着された後に剥離された状態を示す図であり、（ａ）は貼着されていた面を示す図であり、（ｂ）は（ａ）に示したＡ−Ａ’断面図である。
【図５】本発明の情報隠蔽シートの第２の実施の形態を示す図であり、（ａ）は表面から見た図、（ｂ）は（ａ）に示したＡ−Ａ’断面図である。
【図６】図５に示した情報記入領域に情報が記入され、また、証明書貼付領域に証明書が貼付された状態を示す図であり、（ａ）は表面から見た図、（ｂ）は（ａ）に示したＡ−Ａ’断面図である。
【図７】図５に示した本体片と隠蔽片とが貼着された状態を示す図であり、（ａ）は隠蔽片側から見た図、（ｂ）は（ａ）に示したＡ−Ａ’断面図である。
【図８】図５に示した本体片と隠蔽片とが貼着された後に剥離された状態を示す図であり、（ａ）は貼着されていた面を示す図であり、（ｂ）は（ａ）に示したＡ−Ａ’断面図である。
【符号の説明】
【００５８】
１，１０１    情報隠蔽シート
２，１０２    ラベル
３ａ，３ｂ，１０３ａ，１０３ｂ    透明フィルム
４ａ，４ｂ，５，４０，１０４ａ，１０４ｂ，１０５，１４０    粘着剤
６，１０６，１０７    剥離紙
１０，１１０    本体片
１１，１１１    証明書貼付領域
１２    剥離剤層
２０，１２０    隠蔽片
２１，１２１    情報記入領域
２２，６１，１２２，１６１    情報
３０，１３０    折り線
５０，１５０    ベース基材
６０，１６０    証明書
【図１】
2006168273.tif 000003
【図２】
2006168273.tif 000004
【図３】
2006168273.tif 000005
【図４】
2006168273.tif 000006
【図５】
2006168273.tif 000007
【図６】
2006168273.tif 000008
【図７】
2006168273.tif 000009
【図８】
2006168273.tif 000010